(57)【特許請求の範囲】
【請求項１】
物体側から順に、正の屈折力を有する第１レンズ群と、正の屈折力を有する第２レンズ群と、第３レンズ群と、最も像側の面が像面に凹面を向けた負の屈折力を有する第４レンズ群と、最も物体側の面が標本面に凹面を向けた正の屈折力を有する第５レンズ群からなる液浸系顕微鏡対物レンズおいて、
前記第１レンズ群は、最も物体側に配置された正レンズと物体側に凹面を向けたメニスカスレンズとの接合レンズと、メニスカスレンズまたは両凸レンズと、からなり、
前記第３レンズ群は、３枚接合レンズからなり、
前記第４レンズ群は、２枚接合レンズからなり、
以下の条件式を満足することを特徴とする液浸系顕微鏡対物レンズ。
0.75 < h1/h0 < 1
0.4 < h2/h1 <0.6
0.8 < h3/h1 < 1.3
|f2/f3| < 0.6
ただし、h0は対物レンズ全系での最大光線高、h1は前記第４レンズ群の標本側の面のマージナル光線高、h2は前記第４レンズ群の像側の面のマージナル光線高、h3は前記第５レンズ群の像側の面のマージナル光線高、f2は前記第２レンズ群の焦点距離、f3は前記第３レンズ群の焦点距離である。
【請求項２】
物体側から順に、正の屈折力を有する第１レンズ群と、正の屈折力を有する第２レンズ群と、第３レンズ群と、最も像側の面が像面に凹面を向けた負の屈折力を有する第４レンズ群と、最も物体側の面が標本面に凹面を向けた正の屈折力を有する第５レンズ群からなる液浸系顕微鏡対物レンズおいて、
前記第１レンズ群は、最も物体側に配置された正レンズと物体側に凹面を向けたメニスカスレンズとの接合レンズと、メニスカスレンズまたは両凸レンズと、からなり、
前記第３レンズ群は、３枚接合レンズからなり、
前記第４レンズ群は、２枚接合レンズからなり、
以下の条件式を満足することを特徴とする液浸系顕微鏡対物レンズ。
0.75 < h1/h0 < 1
0.4 < h2/h1 <0.6
0.8 < h3/h1 < 1.3
Do/f > 10
ただし、h0は対物レンズ全系での最大光線高、h1は前記第４レンズ群の標本側の面のマージナル光線高、h2は前記第４レンズ群の像側の面のマージナル光線高、h3は前記第５レンズ群の像側の面のマージナル光線高、Doは標本面から当該対物レンズの胴付面までの距離、fは全系の焦点距離である。
【請求項３】
前記第５レンズ群は、物体に凹面を向けた少なくとも1つのメニスカスレンズを含み、以下の条件式を満足することを特徴とする請求項１または２に記載の液浸系顕微鏡対物レンズ。
-0.5 < f4/f5 < 0
ただし、f4は前記第４レンズ群の焦点距離、f5は前記第５レンズ群の焦点距離である。
【請求項４】
前記第３レンズ群は、光軸に沿って前記第１レンズ群及び前記第４レンズ群に対して相対的に移動することを特徴とする請求項１から３のいずれか１項に記載の液浸系顕微鏡対物レンズ。
【請求項５】
以下の条件式を満足することを特徴とする請求項１から４のいずれか１項に記載の液浸系顕微鏡対物レンズ。
|f/f3| < 0.1 
ただし、f3は前記第３レンズ群の焦点距離、fは全系の焦点距離である。
【請求項６】
下記の条件式を満足する請求項４または請求項５に記載の液浸系顕微鏡対物レンズ。
0.85 < | β3 | < 1.1
ただし、β3は前記第３レンズ群の倍率である。
【請求項７】
前記第2レンズ群は接合レンズであり、光軸に沿って前記第1レンズ群及び前記第４レンズ群に対して相対的に移動することを特徴とする請求項１または請求項２に記載の液浸系顕微鏡対物レンズ。
【請求項８】
前記第2レンズ群が以下の条件式を満たすことを特徴とする請求項７に記載の液浸系顕微鏡対物レンズ。
0.1 < f/f2 <0.3
ただし、f2は前記第２レンズ群の焦点距離、fは全系の焦点距離である。
【請求項９】
前記第２レンズ群及び前記第３レンズ群が移動群として前記第１レンズ群及び前記第４レンズ群に対して相対的に移動することを特徴とする請求項１から請求項８の何れかに記載の液浸系顕微鏡対物レンズ。
【請求項１０】
以下の条件を満たすことを特徴とする請求項１から請求項９の何れかに記載の液浸系顕微鏡対物レンズ。
NA×f > 6
ただし、NAは対物レンズの物体側開口数、fは全系の焦点距離である。
【請求項１１】
前記液浸系顕微鏡対物レンズは複数のレンズ群からなり、少なくとも一つのレンズ群が移動群として光軸に沿って前後のレンズ群に対して相対的に移動することを特徴とする請求項１０に記載の液浸系顕微鏡対物レンズ。
【発明の詳細な説明】
【技術分野】
【０００１】
本発明は顕微鏡対物レンズの技術分野に係り、特に多光子励起レーザー走査型顕微鏡に特化した顕微鏡対物レンズとそれを備えた多光子励起レーザー走査型顕微鏡に関する。
【背景技術】
【０００２】
顕微鏡における蛍光観察の手段として、多光子励起を利用した蛍光観察法が知られている。
多光子励起では、吸収波長のほぼ整数倍の波長を持つ光線を同時に蛍光体に照射することにより、本来の吸収波長と同等な励起現象が引き起こされる。この多光子励起現象は非線形現象と呼ばれ、たとえば２光子励起の場合は励起光の強度の２乗に比例した確率で励起現象が起きる。
【０００３】
一方、顕微鏡の対物レンズによる励起光の集光は、焦点面からの距離の２乗に反比例して光密度が低くなる。すなわち、顕微鏡における多光子励起現象は焦点のごく近傍のみに起こり、この部分からのみ蛍光が放射される。
【０００４】
この性質により、通常の共焦点顕微鏡で使われる焦点面以外で起こる蛍光の放射を遮るための検出側の共焦点ピンホールは、多光子励起レーザー走査型顕微鏡においては必要とされない。また、焦点面でのみ励起現象が起きるために、試料内の蛍光の褪色も少なくてすむという利点もある。
【０００５】
また、多光子励起で用いられる励起光は一般に赤外光であり、通常よりも長い波長となる。そして、一般に波長が長い光のほうが散乱しにくいという性質（レイリー散乱）を持つことから、赤外光で励起をした方が生体試料のような散乱性試料では試料のより深くまで到達するという性質を持っている。このことは、通常の可視光では観察することができなかった生体の深部まで観察することが可能になることを意味する。しかも、赤外光は紫外光や可視光よりも光毒性が低いので、生体試料をできる限り傷つけないで観察することができる。
【０００６】
例えばセロトニンという脳内物質は紫外線領域に吸収波長を持つ自家蛍光を持つ。しかしながら、紫外光は脳内の深部にまで到達することができず、また光毒性も強い。このような状況下では多光子励起レーザー走査型顕微鏡は有効に働く。紫外光と赤外光は波長が３倍程度離れているので、３光子励起を行えば赤外光を使ってセロトニンを励起できる。
【０００７】
以上のように多光子励起を利用した蛍光観察は大きなメリットを持っており、現在において顕微鏡観察において非常に有効な手段となっている。
しかし、この多光子励起を利用した顕微鏡観察には技術的な困難が伴う。例えば、多光子励起を起こすには一つの蛍光体に同時に光子を衝突させなければいけない。そのような現象を起こすには非常に高い光子密度を対物レンズの焦点位置に作らなければいけない。つまり、開口数が大きく、かつ適切に収差補正された対物レンズを利用しなければいけない。このとき、励起光は赤外光であるので、赤外光での収差が補正されていることが重要である。
【０００８】
しかも、試料の深部の観察では、試料自身の屈折率による収差が無視できなくなり、蛍光効率が悪化する。それを避けるために試料内の深さに対応した補正環があることが望ましい。
【０００９】
一方、励起光は強力でありながらも、そこから放射される蛍光の光量は微弱である。よって、放射された蛍光は可能な限りロスの少ない方法で検出しなければいけない。そのために対物レンズとしては、レンズの枚数および群数を抑えた構成とし、検出器までの光路も最適化しなければいけない。
【００１０】
さらに、３光子励起のような場合には紫外光を検出しなければいけない。一般的な光学ガラスは紫外光の透過率が低いので、紫外光を通す限られた光学ガラスで対物レンズを構成しなければならない。
【００１１】
しかも、多光子励起顕微鏡ではパッチクランプ法と同時に利用される場合が多いので、対物レンズの先端と試料の間に作業スペースを確保しなければいけない。すなわち、作動距離が長いことと同時に対物レンズの先端部のアクセス角を確保しなければいけない。
【００１２】
また、励起光は赤外光であるが、それによって放射される蛍光は可視光域（や紫外光）である。つまり、検出したい蛍光のほうは試料によるレイリー散乱の影響を受けてしまう。その結果、一点から放射されたものが広がりを持って対物レンズに進入してくる。そのため、散乱した蛍光を無駄なく収集するには対物レンズの視野が広いことが望ましい。
【００１３】
対物レンズの視野を広げると、それに比例して対物レンズの瞳径も大きくなる。仮に、入射瞳径の極めて大きな対物レンズを開発できたとしても、焦点顕微鏡装置の入射レーザービームが対物レンズの入射瞳位置において、その瞳径を満たさなければその性能は発揮されない。その為、対物レンズの瞳径に対して入射ビーム径を略同一にするように、ビーム径を調整する技術が特許文献１１に提案されている。この技術によれば、ビームエクスパンダーを用い、共焦点顕微鏡装置によって対物レンズの瞳径にほぼ合わせるようにビーム径を調整することが可能である。しかし、ビーム径の調整は、レーザー偏向手段(２次元走査手段)に入射する前になされているため、最大のビーム径はレーザー偏向手段によって規定されることになる。
【００１４】
これを広げるためには、ガルバノミラー等のレーザー偏向手段の装置サイズを大きくする必要がある。しかし、ガルバノミラーのサイズを大きくすればするほど、試料範囲を走査するための触れ角は大きくなり、走査速度が減少する弊害が生じる。また、瞳位置と共役な位置付近に2枚のガルバノミラーを設け2次元の走査を可能にする共振ガルバノミラーにおいては、2枚のガルバノミラーの干渉を避けるため、間隔を広げる必要がある。そのため、理想的な瞳位置からずれ照明ムラが大きくなる。
【００１５】
従って、共焦点顕微鏡装置のレーザー偏向手段によって定められる最大の入射ビーム径に対し、最適な対物レンズを組み合わせることが重要である。
【特許文献１】特開２００５−１８９７３２号公報
【特許文献２】特開２００２−３１７６０号公報
【特許文献３】ＵＳ２００７／００９１４５４ Ａ１
【特許文献４】特開２００５−３５２０２１号公報
【特許文献５】特開２００５−４３６２４号公報
【特許文献６】特開２００５−３１５０７号公報
【特許文献７】特開２００４−３１７７４９号公報
【特許文献８】特許第３２８３４９９号
【特許文献９】特開２００３−２９１５７号公報
【特許文献１０】特開２００５−９９１３１号公報
【特許文献１１】特開２００８−０４０１５４号公報
【非特許文献１】光学入門第1版8刷 平成14年3月29日(オプトロニクス社)
【非特許文献２】細胞 THE CELL ２００８年4月20日(ニューサイエンス社)
【発明の開示】
【発明が解決しようとする課題】
【００１６】
以上の技術的問題に鑑み、本発明では多光子励起レーザー走査型顕微鏡において、明るい蛍光と高解像の両方を確保することが可能な対物レンズと、多光子励起観察に最適化されたレーザー走査型顕微鏡システムを提供することを課題とする。
【課題を解決するための手段】
【００１７】
本発明の第１の態様は、物体側から順に、正の屈折力を有する第１レンズ群と、正の屈折力を有する第２レンズ群と、第３レンズ群と、最も像側の面が像面に凹面を向けた負の屈折力を有する第４レンズ群と、最も物体側の面が標本面に凹面を向けた正の屈折力を有する第５レンズ群からなる液浸系顕微鏡対物レンズおいて、前記第１レンズ群は、最も物体側に配置された正レンズと物体側に凹面を向けたメニスカスレンズとの接合レンズと、メニスカスレンズまたは両凸レンズと、からなり、前記第３レンズ群は、３枚接合レンズからなり、前記第４レンズ群は、２枚接合レンズからなり、以下の条件式を満足する液浸系顕微鏡対物レンズを提供する。
(1) 0.75 < h1/h0 < 1
(2) 0.4 < h2/h1 <0.6
(3) 0.8 < h3/h1 < 1.3
(6) |f2/f3| < 0.6
ただし、h0は対物レンズ全系での最大光線高、h1は前記第４レンズ群の標本側の面のマージナル光線高、h2は前記第４レンズ群の像側の面のマージナル光線高、h3は前記第５レンズ群の像側の面のマージナル光線高、f2は前記第２レンズ群の焦点距離、f3は前記第３レンズ群の焦点距離である。
【００１８】
本発明の第２の態様は、物体側から順に、正の屈折力を有する第１レンズ群と、正の屈折力を有する第２レンズ群と、第３レンズ群と、最も像側の面が像面に凹面を向けた負の屈折力を有する第４レンズ群と、最も物体側の面が標本面に凹面を向けた正の屈折力を有する第５レンズ群からなる液浸系顕微鏡対物レンズおいて、前記第１レンズ群は、最も物体側に配置された正レンズと物体側に凹面を向けたメニスカスレンズとの接合レンズと、メニスカスレンズまたは両凸レンズと、からなり、前記第３レンズ群は、３枚接合レンズからなり、前記第４レンズ群は、２枚接合レンズからなり、以下の条件式を満足する液浸系顕微鏡対物レンズを提供する。
(1) 0.75 < h1/h0 < 1
(2) 0.4 < h2/h1 <0.6
(3) 0.8 < h3/h1 < 1.3
(9) Do/f > 10
ただし、h0は対物レンズ全系での最大光線高、h1は前記第４レンズ群の標本側の面のマージナル光線高、h2は前記第４レンズ群の像側の面のマージナル光線高、h3は前記第５レンズ群の像側の面のマージナル光線高、Doは標本面から当該対物レンズの胴付面までの距離、fは全系の焦点距離である。
【００１９】
本発明の第３の態様は、前記第５レンズ群は、物体に凹面を向けた少なくとも1つのメニスカスレンズを含み、以下の条件式を満足する第１または第２の態様に記載の液浸系顕微鏡対物レンズを提供する。
(4) -0.5 < f4/f5 < 0
ただし、f4は前記第４レンズ群の焦点距離、f5は前記第５レンズ群の焦点距離である。
【００２０】
本発明の第４の態様は、前記第３レンズ群は、光軸に沿って前記第１レンズ群及び前記第４レンズ群に対して相対的に移動する第１から第３のいずれか一態様に記載の液浸系顕微鏡対物レンズを提供する。
【００２１】
本発明の第５の態様は、以下の条件式を満足する第１から第４のいずれか一態様に記載の液浸系顕微鏡対物レンズを提供する。
(5) |f/f3| < 0.1  
ただし、f3は前記第３レンズ群の焦点距離、fは全系の焦点距離である。
【００２２】
本発明の第６の態様は、下記の条件式を満足する第４または第５の態様に記載の液浸系顕微鏡対物レンズを提供する。
(7) 0.85 < | β3 | < 1.1
ただし、β3は前記第３レンズ群の倍率である。
【００２３】
本発明の第７の態様は、前記第2レンズ群は接合レンズであり、光軸に沿って前記第1レンズ群及び前記第４レンズ群に対して相対的に移動する第１または第２の態様に記載の液浸系顕微鏡対物レンズを提供する。
【００２４】
本発明の第８の態様は、前記第2レンズ群が以下の条件式を満たす第７の態様に記載の液浸系顕微鏡対物レンズを提供する。
(8) 0.1 < f/f2 <0.3
ただし、f2は前記第２レンズ群の焦点距離、fは全系の焦点距離である。
【００２５】
本発明の第９の態様は、前記第２レンズ群及び前記第３レンズ群が移動群として前記第１レンズ群及び前記第４レンズ群に対して相対的に移動するこ第１から第８の何れか一態様に記載の液浸系顕微鏡対物レンズを提供する。
【００２６】
本発明の第１０の態様は、以下の条件を満たす第１から第９の何れか一態様に記載の液浸系顕微鏡対物レンズを提供する。
(10) NA×f > 6
ただし、NAは対物レンズの物体側開口数、fは全系の焦点距離である。
【００２７】
本発明の第１１の態様は、前記液浸系顕微鏡対物レンズは複数のレンズ群からなり、少なくとも一つのレンズ群が移動群として光軸に沿って前後のレンズ群に対して相対的に移動する第１０の態様に記載の液浸系顕微鏡対物レンズを提供する。
【００２８】
以下、上記構成を採用した理由とその効果について説明する。
正屈折力の第１レンズ群によって、球面収差、像面湾曲のバランスをとりながら物体から射出される高開口数の光線の開き角を小さくし、光束を収斂させる。第２レンズ群の弱い正パワーにより球面収差の補正をしながらほぼ平行光束とし、光線高の高い第３レンズ群でコマ収差、球面収差の補正をし、光線高をあまり下げないようにして第４レンズ群につなげ、第４レンズ群の標本側の面の強い正パワーと像側の面の強い負パワーによって光線高を大きく下げ、コマ収差の補正とともに非点収差の補正を行い、第５レンズ群は標本側の面の負パワーによって広波長域に渡って発生するコマ収差のバランスをとりながら像側の正パワーによって発散しようとする光線を平行光線にするとともに同焦距離を保つ役割も果たしている。
【００２９】
高開口数の光線の収差を補正する際に本質的な問題が高次の球面収差及びコマ収差である。3次の球面収差及びコマ収差を横収差で表記すると、それぞれ光線高の3乗,2乗に比例する値となり光線高が高い位置で補正することが有効である。条件式(1)を満たすことによって、最大光線高となる第２レンズ群から第４レンズ群の標本側の面まで光線高が高い状態を保持され高次の球面収差とコマ収差を効率よく補正することができる。
【００３０】
条件式(1)の下限値0.75を下回ると第３レンズ群を透過する光線の高さが低くなり、高次の球面収差とコマ収差が補正しきれない。また、条件式(1)の上限値１を上回ると第４レンズ群で極めて強い正の屈折力で光線を曲げるため、５次以上の球面収差・コマ収差が発生し他の群で補正しきれず、また第４レンズ群の偏心の利きが非常に大きくなってしまう。
【００３１】
条件式(2)の上限値0.6を上回ると第４レンズ群の凹面で発生する負パワーが不足し、ペッツバール和の補正が不十分となると共に非点収差の補正が不足する。条件式(2)の下限値0.4を下回ると第４レンズ群の凹面で発生する負パワーが過剰となり、ペッツバール和の補正が不十分となると共に、高次のコマ収差が発生して軸外の結像性能が劣化する。
【００３２】
条件式(3)の下限値0.8を下回ると第５レンズ群の負屈折力が不足し、広波長域のコマ収差を補正することが困難になる。逆に、条件式(3)の上限値1.3を上回ると第5レンズ群の正レンズで発生する球面収差・コマ収差が極めて大きくなり、他の群で補正することが困難になる。
【００３３】
条件式(4)はガウス面を挟む第４レンズ群と第５レンズ群のパワーのバランスの規定である。条件式(1),(2),(3)を満足するレンズタイプはガウス群に大きな屈折力が集中するため、条件式(4)を満たすことによって収差のバランスをとることが性能上重要となる。
【００３４】
条件式(4)の下限値-0.5を下回ると第４レンズ群の負屈折率が弱くなりペッツバール和の補正が不十分となる。逆に、条件式(4)の上限値0を上回ると第４レンズ群で負屈折力が強くなり、大きなコマ収差が発生することになる。これによって発生した大きなコマ収差を他の群で補正することが困難である。
【００３６】
条件式(5)は、第３レンズ群の対物レンズ全系に対するパワーを規定する条件式である。条件式(5)において上限値0.1を上回ると第３レンズ群のパワーが大きくなり第４レンズ群に入射するマージナル光線の入射角度が小さくなるため、第4レンズ群の負の屈折力が不足することとなり、ペッツバール和の補正が不十分となると共に非点収差の補正が不足する。
【００３７】
条件式(6)は、第2レンズ群との第3レンズ群のパワーバランスを規定する条件式である。条件式(6)において上限値0.6を上回ると第２レンズ群のパワーが弱すぎて球面収差の補正が不足し、第３レンズ群はその不足した球面収差を補正するとコマ収差補正が過剰になり性能のバランスがとれない。
【００３８】
カバーガラスや標本の厚みによって発生する球面収差を補正するためにレンズ群を移動させる技術は数多く示されている。一般にはレンズ群を移動させると対物レンズ全系の焦点位置が変わりピントがずれてしまう。従って特定の深さにある標本を最も良い結像性能で観察するためには、対物レンズの補正環による球面収差の補正と顕微鏡によるピント位置の補正を相互に繰り返す必要があり、非常に煩雑な作業を要する。これらを避けるために、例えば特許文献４のような補正環操作時にピント位置ずれの少ない対物レンズが開示されている。ここでは移動群の球面収差への影響を加味し、移動群の倍率を-1.8以上-1.1以下であることをピント位置ずれの少ない条件としているが、本レンズタイプでは比較的球面収差の補正係数が小さいため、条件式(7)を満たすことが望ましい。条件式(7)において上限値1.1を上回ると標本観察時に移動群を標本側に移動させたときにピント位置が像側に大きくずれピント位置の再調整が必要となる。逆に下限値0.85を下回ると標本観察時に移動群を標本側に移動させたときにピント位置が標本側に大きくずれピント位置の再調整が必要となる。
【００３９】
条件式(8)の上限値0.3を上回ると第２レンズ群の焦点距離が対物レンズ全系に対して小さくなる。すなわち光線高さの高い第２レンズ群において大きなパワーが発生し、光線高を抑えることはできるが、そこで生じる大きな球面収差とコマ収差を他の群で補正しきれなくなる。逆に、条件式(8)の下限値0.1を下回ると第２レンズ群のパワーが弱くなり、高線高さが高くなる。そのために第３レンズ群及び第４レンズ群で強い正のパワーをもって光線高さを抑える必要が生じるため、高次の球面収差とコマ収差の影響が大きくなり高次収差性能がとれなくなる。
【００４０】
条件式(9)は、対物レンズの倍率に応じて適切な同焦点距離を規定する条件式である。焦点距離の長い低倍の対物レンズにおいては視野が広いため、平坦性を保つために同焦点距離を伸ばして収差補正する必要があり、条件式(9)の下限値10を下回ると平坦性の確保が難しくなる。
【００４１】
条件式(10)は、対物レンズの倍率に応じて適切な開口数を規定する条件式である。条件式(10)の下限値6を下回ると対物レンズの射出瞳径が小さくなり、広視野を高解像で観察するための十分大きな高開口数が確保されず脳神経に存在するスパインなどの微細な標本構造を解像できないと共に、蛍光観察時の明るさが不十分となる。高開口数を確保したまま倍率を上げると生体を蛍光観察時に発生する散乱光を拾うことができず、明るさが不足しがちである。
【発明の効果】
【００８６】
本発明によれば、多光子励起レーザー走査型顕微鏡に最適な対物レンズと、それを用いた多光子励起レーザー走査型顕微鏡を提供できる。
すなわち、広視野（低倍）で高開口数でありながら、作動距離も長くて大きなアクセス角を持った赤外光に対して適切に収差補正された顕微鏡対物レンズが提供される。
【００８７】
また、対物レンズとレーザー走査型顕微鏡の多光子励起観察を行うために最適化される。
【発明を実施するための最良の形態】
【００８８】
以下に、本発明実施の形態の顕微鏡対物レンズのレンズデータを示す。記号は、上記の他、ＮＡは開口数、ＷＤは作動距離、βは倍率、ｆは焦点距離である。実施例１から６は何れも対物レンズからの射出光が平行光束となる無限遠補正型の対物レンズであり、これら単体では結像しない。そこで、例えば後述のレンズデータを有し、図２５にレンズ断面図を示す結像レンズと組み合わせて使用される。なお、実施例１から６において、r1、r2…は物体側から順に示した各レンズ面の曲率半径、d1、d2…は物体側から順に示した各レンズの面間隔、nd1、nd2…は物体側から順に示したｄ線の屈折率、νd1、νd2…は物体側から順に示した各レンズのアッベ数である。
【００８９】
これらの実施例は液浸として水を用いたもので水のd線に対する屈折率1.33422、アッベ数は55.89である。また、本発明による対物レンズは標本の深い部位にも対応している。そのとき標本の光学特性はd線に対する屈折率1.36、アッベ数は58としている。この値は動物の脳のような標本を想定した値となっている。
【実施例１】
【００９０】
実施例１は、図1の断面図に示すように、第１レンズ群G1は、平凸レンズと物体側に凹面を向けたメニスカスレンズの接合レンズとメニスカスレンズにより構成される。第２レンズ群G2は像面側に凹面を向けたメニスカスレンズ２枚と凸レンズの３枚接合レンズにより構成される。第３レンズ群G3は像面側に凹面を向けたメニスカスレンズと両凸レンズと物体側に凹面を向けたメニスカスレンズの３枚接合レンズより構成される。第４レンズ群G4は像面側に凹面を向けたメニスカスレンズ２枚の接合レンズより構成される。第５レンズ群G5は物体側に凹面を向けたメニスカスレンズ２枚から構成される。
【００９１】
ここで、第２レンズ群G2は第１レンズ群G1と第３レンズ群G3の間を相対的に移動することによって収差を補正する。
以下に、実施例１のレンズデータを示す。
NA＝1.05,WD＝1.7293(媒質nd=1.36厚0.3mm時), f＝7.1838, β＝25
s        r         d          nd          vd
1       INF       1.15       1.45852     67.83
2     -5.9903     5.7088     1.7725      49.6
3     -6.8605     0.477
4    -36.5263     3.6        1.56907     71.3
5    -13.6341     1.1825
6     24.2042     4          1.497       81.14
7    126.6562     1.9        1.673       38.15
8     15.1716     9          1.43875     94.93
9    -17.894      0.5919
10    43.9925     1.9        1.673       38.15
11    13.7154     9.6635     1.43875     94.97
12   -12.6287     1.9        1.741       52.64
13   -21.88       0.27
14    10.9415    10.0246     1.497       81.14
15    35.2043     2.1621     1.741       52.64
16     6.0773     5.7728
17    -8.0008     2.2        1.6134      44.27
18   -15.3052     8.2967
19   -18.6412     2.8        1.673       38.15
20   -12.2826     6.3468
(1)   h1/h0 = 0.861383
(2)   h2/h = 0.517652
(3)   h3/h1 = 0.863643
(4)   f4/f5 = -0.02914
(4')  Ro4/h1 = 1.245826
(5)   |f/f3| = 0.066865
(6)   |f2/f3| = 0.320606
(8)   f/f2 = 0.208557
(9)   Do/f = 11.2957
(10)   NA×f = 7.54299
(11),(12) | (tanω1)(tanω1+2/h4) - (tanω2)(tanω2+2/h5)| = 0.00179
(13)   do+di = 1.77435
(14)   | βs | = 5.52344
(15)    (n2-n1)/ra = 0.052423
(16)   dt1/f = 0.280208
(17)   dt2 = 0.477
(18)   nd5p = 1.673
(19)   νd5p = 38.15
(20)   νpa-νna = 27.2075
(21)   n1−nw = 0.129
(22)   rb／dt3 = 2.08
(23)   fs／f = 1.76
(24)   dt5 − dt4 = 4.56
上記の構成において、第２レンズ群（r6からr9）を移動させることにより、カバーガラスの有無と標本中の深さに係わる収差と使用波長毎に異なる収差を補正する。
【００９２】
以下では、標本の深さに応じて動かす第２レンズ群の移動量を示す。ここでは、レンズデータ中の面間隔d5とd9が、それぞれ移動群前間隔doと移動群後間隔diに対応している。
媒質(nd=1.36)厚     0mm        0.3mm       1.2mm
WD           2.01296     1.7293      0.87927
移動群前間隔do     1.33569     1.18246     0.70529
移動群後間隔di     0.43866     0.59192     1.06906
do+di          1.77435     1.77438     1.77435
実施例１は対物レンズからの射出光が平行光束となる無限遠補正型の対物レンズであり、後述の図２５にレンズ断面図を示す結像レンズと組み合わせて使用される。以下ではこのときの収差図を開示する。ただし、これらの収差図において、（a）は球面収差、（b）は非点収差、（c）は歪曲収差、（d）はコマ収差を示す。これら収差図中のIHは、像高を示す。
【００９３】
図７と図８と図９は実施例１の構成の液浸系顕微鏡対物レンズにおいて標本中の深さがそれぞれ0ｍｍと0.3ｍｍと1.2ｍｍ時の可視光収差図である。このとき、標本のd線に対する屈折率は1.36、アッベ数は58とし、標本と対物レンズの先端を満たす水のd線に対する屈折率1.33422、アッベ数は55.89とした。ただし、第２レンズ群の位置は上記表に従う。
【実施例２】
【００９４】
実施例２は、図２の断面図に示すように、第１レンズ群G1は、平凸レンズと物体側に凹面を向けたメニスカスレンズの接合レンズとメニスカスレンズにより構成される。第２レンズ群G2は像面側に凹面を向けたメニスカスレンズ２枚と凸レンズの３枚接合レンズにより構成される。第３レンズ群G3は像面側に凹面を向けたメニスカスレンズと両凸レンズと物体側に凹面を向けたメニスカスレンズの３枚接合レンズより構成される。第４レンズ群G4は像面側に凹面を向けたメニスカスレンズ２枚の接合レンズより構成される。第５レンズ群G5は物体側に凹面を向けたメニスカスレンズ２枚から構成される。
【００９５】
ここで、第２レンズ群G2は第１レンズ群G1と第３レンズ群G3の間を相対的に移動することによって収差を補正する。
以下に、実施例２のレンズデータを示す。
NA＝1.05,WD＝1.716(媒質nd=1.36厚0.3mm時), f＝7.16926, β＝25
s        r          d          Nd          vd
1        INF        1.5        1.45847     67.72
2      -11.7569     5.4888     1.7725      49.6
3       -7.4259     0.3662
4      -36.4575     4.4573     1.56907     71.3
5      -13.4012     0.8091
6       27.4292     3.2954     1.497       81.14
7      382.5801     1.9        1.673       38.15
8       15.1216     9.804      1.43875     94.93
9      -18.4144     0.47
10      35.016      1.9        1.673       38.15
11      13.9356     9.7419     1.43875     94.97
12     -15.0043     1.9        1.741       52.64
13     -28.5245     0.27
14      10.7404    10.7922     1.497       81.14
15      50          2.2        1.7725      49.6
16       5.6752     4.7658
17      -7.713      2.2        1.48749     70.23
18      -9.7277    10.8562
19     -13.0019     3          1.673       38.15
20     -11.2539    -2.7573
(1)   h1/h0 = 0.86881013
(2)   h2/h = 0.48948784
(3)   h3/h1 = 0.83891124
(4)   f4/f5 = -0.2659539
(4')  Ro4/h1 = 1.19725974
(5)   |f/f3| = 0.06339608
(6)   |f2/f3| = 0.34358661
(8)   f/f2 = 0.18451266
(9)   Do/f = 10.4816108
(10)   NA×f = 7.527723
(11),(12)  | (tanω1)(tanω1+2/h4) - (tanω2)(tanω2+2/h5)| = 0.000709
(13)   do+di = 1.27907
(14)   | βs | = 8.4403965
(15)   (n2-n1)/ra = 0.02671027
(16)   dt1/f = 0.27943051
(18)   nd5p = 1.673
(19)   νd5p = 38.15
(20)   νpa-νna = 22.6235
(21)   n1−nw = 0.129
(22)   rb / dt3 = 3.66
(23)   fs／f = 1.62
(24)   dt5 - dt4 = 3.99
上記の構成において、第２レンズ群（r6からr9）を移動させることにより、カバーガラスの有無と標本中の深さに係わる収差と使用波長毎に異なる収差を補正する。
【００９６】
以下では、標本の深さに応じて動かす第２レンズ群の移動量を示す。ここでは、レンズデータ中の面間隔d5とd9が、それぞれ移動群前間隔doと移動群後間隔diに対応している。
媒質(nd=1.36)厚       0mm       0.3mm       1.2mm
W.D           2.00331     1.71604     0.86
移動群前間隔do     0.91886     0.80908     0.38398
移動群後間隔di     0.36021     0.46998     0.89508
do+di          1.27907     1.27906     1.27906
実施例２は対物レンズからの射出光が平行光束となる無限遠補正型の対物レンズであり、後述の図２５にレンズ断面図を示す結像レンズと組み合わせて使用される。以下ではこのときの収差図を開示する。ただし、これらの収差図において、（a）は球面収差、（b）は非点収差、（c）は歪曲収差、（d）はコマ収差を示す。これら収差図中のIHは、像高を示す。
【００９７】
図１０と図１１と図１２は実施例２の構成の液浸系顕微鏡対物レンズにおいて標本中の深さがそれぞれ0ｍｍと0.3ｍｍと1.2ｍｍ時の可視光収差図である。このとき、標本のd線に対する屈折率は1.36、アッベ数は58とし、標本と対物レンズの先端を満たす水のd線に対する屈折率1.33422、アッベ数は55.89とした。ただし、第２レンズ群の位置は上記表に従う。
【実施例３】
【００９８】
実施例３は、図３の断面図に示すように、第１レンズ群G1は、物体側に平面を向けた平凸レンズと物体側に凹面を向けたメニスカスレンズの接合レンズと両凸レンズにより構成される。第２レンズ群G2は両凸レンズと物体側に凹面を向けた平凹レンズと平凸レンズより構成される。第3レンズ群G3は像面側に凹面を向けたメニスカスレンズと両凸レンズと物体側に凹面を向けたメニスカスレンズの3枚接合レンズと両凸レンズと両凹レンズの接合レンズより構成される。第４レンズ群G4は物体側に凹面を向けたメニスカスレンズと両凸レンズにより構成される。
【００９９】
ここで、第３レンズ群G3は第２レンズ群G2と第４レンズ群G4の間を相対的に移動することによって収差を補正する。
以下に、実施例３のレンズデータを示す。
NA＝1.05, WD＝1.7506(媒質nd=1.36厚0.3mm時), f＝7.194006, β＝25
s        r           d         nd          vd
1         INF       0.92       1.45852     67.83
2       -5.2326     6.3714     1.7725      49.6
3       -7.0187     0.8371
4       74.2279     5          1.56907     71.3
5      -17.9499     0.3797
6       33.8822     7.9915     1.497       81.14
7      -13.6493     2.1        1.673       38.15
8        INF        5.3738     1.43875     94.93
9      -19.0013     0.6008
10      54.4017     1.9        1.6134      44.27
11      13.6682     9.8737     1.43875     94.97
12     -11.0022     1.9        1.741       52.64
13     -26.8938     0.9043
14      10.0655    10.2751     1.497       81.14
15     -33.5963     2.1621     1.741       52.64
16       6.1579     4.1814
17      -9.2881     2.2        1.6134      44.27
18     -23.2465     7.1445
19      74.4613     3.8        1.673       38.15
20     -26.9715    -3.124
(1)   h1/h0 = 0.804825
(2)   h2/h = 0.524671
(3)   h3/h1 = 0.924573
(4)   f4/f5 = -0.3618
(4')  Ro4/h1 = 1.235588
(5)   |f/f3| = 0.0028
(6)   |f2/f3| = 0.01639
(7)   | β3 | = 1.068896
(8)   f/f2 = 0.170827
(9)   Do/f = 10.14901
(10)   NA×f = 7.553706
(11),(12)  | (tanω1)(tanω1+2/h4) - (tanω2)(tanω2+2/h5)| = 0.003179
(13)   do+di = 1.50515
(14)   | βs | = 1.068896
(15)   (n2-n1)/ra = 0.060014
(16)   dt1/f = 0.284326
(17)   dt2 = 0.8371
(18)   nd5p = 1.673
(19)   νd5p = 38.15
(20)   νpa-νna = 25.9835
(21)   n1−nw = 0.129
(22)   rb／dt3 = 1.96
(23)   fs／f = 1.88
(24)   dt5 − dt4 = 5.45
上記の構成において、第３レンズ群（r10からr13）を移動させることにより、カバーガラスの有無と標本中の深さに係わる収差と使用波長毎に異なる収差を補正する。
【０１００】
以下では、標本の深さに応じて動かす第３レンズ群の移動量を示す。ここでは、レンズデータ中の面間隔d9とd13が、それぞれ移動群前間隔doと移動群後間隔diに対応している。
媒質(nd=1.36)厚       0mm       0.3mm       1.2mm
WD           2.04544    1.75063     0.86629
移動群前間隔do     0.50057    0.60085     0.91058
移動群後間隔di     1.00458    0.90431     0.59458
do+di          1.50515    1.50516     1.50516
実施例３は対物レンズからの射出光が平行光束となる無限遠補正型の対物レンズであり、後述の図２５にレンズ断面図を示す結像レンズと組み合わせて使用される。以下ではこのときの収差図を開示する。ただし、これらの収差図において、（a）は球面収差、（b）は非点収差、（c）は歪曲収差、（d）はコマ収差を示す。これら収差図中のIHは、像高を示す。
【０１０１】
図１３と図１４と図１５は実施例３の構成の液浸系顕微鏡対物レンズにおいて標本中の深さがそれぞれ0ｍｍと0.3ｍｍと1.2ｍｍ時の可視光収差図である。このとき、標本のd線に対する屈折率は1.36、アッベ数は58とし、標本と対物レンズの先端を満たす水のd線に対する屈折率1.33422、アッベ数は55.89とした。ただし、第３レンズ群の位置は上記表に従う。
【実施例４】
【０１０２】
実施例４は、図4の断面図に示すように、第１レンズ群G1は、平凸レンズと物体側に凹面を向けたメニスカスレンズの接合レンズとメニスカスレンズにより構成される。第２レンズ群G2は、像面側に凹面を向けたメニスカスレンズ２枚と凸レンズの３枚接合レンズにより構成される。第３レンズ群G3は、像面側に凹面を向けたメニスカスレンズと両凸レンズと物体側に凹面を向けたメニスカスレンズの３枚接合レンズより構成される。第４レンズ群G4は、像面側に凹面を向けたメニスカスレンズ２枚の接合レンズより構成される。第５レンズ群G5は、物体側に凹面を向けたメニスカスレンズ１枚から構成される。
【０１０３】
ここで、第２レンズ群G2は第１レンズ群G1と第３レンズ群G3の間を相対的に移動することによって収差を補正する。
以下に、実施例４のレンズデータを示す。
NA＝1.05, WD＝1.8048(媒質nd=1.36厚0.3mm時), f＝7.134036, β＝25
s         r          d          nd          vd
1         INF        1.5        1.45847     67.72
2       -6.0537      4.4108     1.7725      49.6
3       -6.3534      0.3535
4      -28.0186      3.2799     1.56907     71.3
5      -11.5946      0.8915
6       19.6651      5.2839     1.43875     94.93
7       66.3182      1.9        1.673       38.15
8       13.2047      9.7803     1.43875     94.93
9      -18.7485      0.5098
10      42.8888      1.9        1.741       52.64
11      14.9377      9.5309     1.43875     94.97
12     -13.1562      1.9        1.673       38.15
13     -24.7961      0.2701
14      10.6159     10.2209     1.497       81.14
15     160.6704      2.2        1.741       52.64
16       5.9115     14.8078
17     -10.7329      3          1.673       38.15
18      -9.7731      0.5553
(1)   h1/h0 = 0.931453
(2)   h2/h = 0.524893
(3)   h3/h1 = 0.846295
(4)   f4/f5 = -0.46566
(4')  Ro4/h1 = 1.179629
(5)   |f/f3| = 0.052587
(6)   |f2/f3| = 0.253905
(8)   f/f2 = 0.207112
(9)   Do/f = 10.45963
(10)   NA×f = 7.490738
(11),(12)  | (tanω1)(tanω1+2/h4) - (tanω2)(tanω2+2/h5)| = 0.000248
(13)   do+di = 1.40128
(14)   | βs | = 0.25979
(15)   (n2-n1)/ra = 0.051874
(18)   nd5p = 1.673
(19)   νd5p = 38.15
(20)   νpa-νna = 28.93125
(21)   n1−nw = 0.129
(22)   rb／dt3 = 1.02
(23)   fs／f = 1.64
(24)   dt5 - dt4 = 2.91
上記の構成において、第２レンズ群（r6からr9）を移動させることにより、カバーガラスの有無と標本中の深さに係わる収差と使用波長毎に異なる収差を補正する。
【０１０４】
以下では、標本の深さに応じて動かす第２レンズ群の移動量を示す。ここでは、レンズデータ中の面間隔d5とd9が、それぞれ移動群前間隔doと移動群後間隔diに対応している。
媒質(nd=1.36)厚       0mm        0.3mm       1.2mm
WD            1.80484     2.08661     0.96613
移動群前間隔do     0.89149     1.05172     0.31837
移動群後間隔di     0.50979     0.34956     1.08292
do+di          1.40128     1.40128     1.40129
実施例４は対物レンズからの射出光が平行光束となる無限遠補正型の対物レンズであり、後述の図２５にレンズ断面図を示す結像レンズと組み合わせて使用される。以下ではこのときの収差図を開示する。ただし、これらの収差図において、（a）は球面収差、（b）は非点収差、（c）は歪曲収差、（d）はコマ収差を示す。これら収差図中のIHは、像高を示す。
【０１０５】
図１６と図１７と図１８は実施例４の構成の液浸系顕微鏡対物レンズにおいて標本中の深さがそれぞれ0ｍｍと0.3ｍｍと1.2ｍｍ時の可視光収差図である。このとき、標本のd線に対する屈折率は1.36、アッベ数は58とし、標本と対物レンズの先端を満たす水のd線に対する屈折率1.33422、アッベ数は55.89とした。ただし、第２レンズ群の位置は上記表に従う。
【実施例５】
【０１０６】
実施例５は、図５の断面図に示すように、第１レンズ群G1は、平凸レンズと物体側に凹面を向けたメニスカスレンズとの接合レンズと両凸レンズにより構成される。第２レンズ群G2は両凸レンズと物体側に凹面を向けた平凹レンズと平凹レンズとの３枚接合レンズにより構成される。第３レンズ群G3は像面側に凹面を向けたメニスカスレンズと両凸レンズと物体側に凹面を向けたメニスカスレンズとの３枚接合レンズより構成される。第４レンズ群G4は凸レンズと凹レンズ２枚との接合レンズより構成される。第５レンズ群G5は物体側に凹面を向けたメニスカスレンズと両凸レンズから構成される。
【０１０７】
ここで、第３レンズ群G3は第２レンズ群G2と第４レンズ群G4の間を相対的に移動することによって収差を補正する。
以下に、実施例５のレンズデータを示す。
NA＝1.05,WD＝1.7607(媒質nd=1.36厚0.3mm時), f＝7.1930, β＝25
s        r          d          nd          vd
1        INF        0.92       1.45852     67.83
2       -5.1557     6.3714     1.7725      49.6
3       -7.0345     0.6255
4       75.6448     5          1.56907     71.3
5      -17.8511     0.5476
6       35.866      7.9936     1.497       81.14
7      -13.5584     2.1075     1.673       38.15
8        INF        5.3826     1.43875     94.93
9      -18.9286     0.5958
10      53.4526     1.8974     1.61336     44.49
11      13.6516     9.8713     1.43875     94.97
12     -11.2095     1.9033     1.72916     54.68
13     -26.2738     1.2027
14      10.096     10.2751     1.497       81.14
15     -35.0452     2.1608     1.741       52.64
16       6.1297     4.0132
17      -9.2205     2.2003     1.61336     44.49
18     -23.5        7.2144
19      74.109      3.8        1.673       38.15
20     -27.2713      1.471
(1)   h1/h0 = 0.782058484
(2)   h2/h = 0.521842174
(3)   h3/h1 = 0.914280088
(4)   f4/f5 = -0.329806896
(4')  Ro4/h1 = 1.223314189
(5)   |f/f3| = 0.010885278
(6)   |f2/f3| = 0.065545067
(7)   | β3 | = 0.871130021
(8)   f/f2 = 0.166073182
(9)   Do/f = 10.81388957
(10)   NA×f = 7.576731872
(11),(12) | (tanω1)(tanω1+2/h4) - (tanω2)(tanω2+2/h5)| = 0.002439
(13)   do+di = 1.79854
(14)   | βs | = 0.871130021
(15)    (n2-n1)/ra = 0.060909285
(16)   dt1/f = 0.285708881
(17)   dt2 = 0.6255
(18)   nd5p = 1.673
(19)   νd5p = 38.15
(20)   νpa-νna = 25.4925
(21)   n1−nw = 0.129
(22)   rb／dt3 = 1.64
(23)   fs／f = 1.91
(24)   dt5 − dt4 = 5.45
上記の構成において、第３レンズ群（r10からr13）を移動させることにより、カバーガラスの有無と標本中の深さに係わる収差と使用波長毎に異なる収差を補正する。
【０１０８】
以下では、標本の深さに応じて動かす第３レンズ群の移動量を示す。ここでは、レンズデータ中の面間隔d9とd13が、それぞれ移動群前間隔doと移動群後間隔diに対応している。
媒質(n=1.35784)厚     0mm        0.3mm       1.2mm
WD           2.05514     1.76073     0.87742
移動群前間隔 do    0.46698     0.59583     0.91827
移動群後間隔 di    1.33155     1.20271     0.88026
do+di          1.79853     1.79854     1.79853
実施例５は対物レンズからの射出光が平行光束となる無限遠補正型の対物レンズであり、後述の図２５にレンズ断面図を示す結像レンズと組み合わせて使用される。以下ではこのときの収差図を開示する。ただし、これらの収差図において、（a）は球面収差、（b）は非点収差、（c）は歪曲収差、（d）はコマ収差を示す。これら収差図中のIHは、像高を示す。
【０１０９】
図１９と図２０と図２１は実施例１の構成の液浸系顕微鏡対物レンズにおいて標本中の深さがそれぞれ0ｍｍと0.3ｍｍと1.2ｍｍ時の可視光収差図である。このとき、標本のd線に対する屈折率は1.36、アッベ数は58とし、標本と対物レンズの先端を満たす水のd線に対する屈折率1.33422、アッベ数は55.89とした。ただし、第３レンズ群の位置は上記表に従う。
【実施例６】
【０１１０】
実施例６は、図６の断面図に示すように、第１レンズ群G1は、平凸レンズと物体側に凹面を向けたメニスカスレンズの接合レンズとメニスカスレンズにより構成される。第２レンズ群G2は両凸レンズと物体側に凹面を向けたメニスカスレンズとメニスカスレンズとの３枚接合レンズにより構成される。第３レンズ群G3は像面側に凹面を向けたメニスカスレンズと両凸レンズと物体側に凹面を向けたメニスカスレンズの３枚接合レンズより構成される。第４レンズ群G4は像面側に凹面を向けたメニスカスレンズ２枚の接合レンズより構成される。第５レンズ群G5は物体側に凹面を向けたメニスカスレンズと両凸レンズから構成される。
【０１１１】
ここで、第２レンズ群G2と第３レンズ群G3は第１レンズ群G1と第４レンズ群G4の間を相対的に移動することによって収差を補正する。
以下に、実施例６のレンズデータを示す。
NA＝1.06,WD＝1.6846(媒質nd=1.36厚0.3mm時), f＝7.2041, β＝25
s        r           d          nd          vd
1        INF         0.92       1.45852     67.83
2       -8.3317      6.3714     1.7725      49.6
3       -8.1014      0.2884
4      -44.2568      5          1.56907     71.3
5      -12.2608      0.9519
6       37.9764      7.8376     1.497       81.14
7      -13.1109      1.6833     1.673       38.15
8      -51.2909      4.5572     1.43875     94.93
9      -18.8909      0.4909
10      50.7843      1.8173     1.61336     44.49
11      15.4861      9.3702     1.43875     94.97
12     -13.2615      1.5        1.72916     54.68
13     -31.4258      0.8997
14      13.0111     10.2751     1.497       81.14
15      42.2409      4.2428     1.741       52.64
16       7.7259     10.5896
17     -12.0786      1.985      1.63775     42.41
18     -24.4346      7.6247
19      73.9503      3.9403     1.738       32.26
20     -57.1062     -2.5
(1)   h1/h0 = 0.845668559
(2)   h2/h = 0.542324369
(3)   h3/h1 = 0.800138675
(4)   f4/f5 = -0.22179378
(4')  Ro4/h1 = 1.362835501
(5)   |f/f3| = 0.01899509
(6)   |f2/f3| = 0.101410126
(8)   f/f2 = 0.187309599
(9)   Do/f = 11.14710447
(10)   NA×f = 7.555540563
(11),(12)  | (tanω1)(tanω1+2/h4) - (tanω2)(tanω2+2/h5)| = 0.0009571
(13)   do+di = 1.8516
(14)   | βs | = 2.74815908
(15)   (n2-n1)/ra = 0.037690987
(16)   dt1/f = 0.274817927
(18)   nd5p = 1.72021
(19)   νd5p = 32.26
(20)   νpa-νna = 25.17225
(21)   n1−nw = 0.129
(23)   fs／f = 1.97
(24)   dt5 − dt4 = 5.45
上記の構成において、第２レンズ群と第３レンズ群（r6からr13）を一体として移動させることにより、カバーガラスの有無と標本中の深さに係わる収差と使用波長毎に異なる収差を補正する。
【０１１２】
以下では、標本の深さに応じて動かす第２レンズ群と第３レンズ群の移動量を示す。ここでは、レンズデータ中の面間隔d5とd13によって、それぞれ移動群前間隔doと移動群後間隔diに対応している。
媒質(n=1.35784)厚     0mm      0.3mm      1.2mm
WD          1.97226   1.68462     0.821
移動群前間隔do    1.09052   0.95192     0.54639
移動群後間隔di    0.76921   0.89968     1.307
do+di         1.85973   1.8516      1.85339
実施例６は対物レンズからの射出光が平行光束となる無限遠補正型の対物レンズであり、後述の図２５にレンズ断面図を示す結像レンズと組み合わせて使用される。以下ではこのときの収差図を開示する。ただし、これらの収差図において、（a）は球面収差、（b）は非点収差、（c）は歪曲収差、（d）はコマ収差を示す。これら収差図中のIHは、像高を示す。
【０１１３】
図２２と図２３と図２４は実施例６の構成の液浸系顕微鏡対物レンズにおいて標本中の深さがそれぞれ0ｍｍと0.3ｍｍと1.2ｍｍ時の可視光収差図である。このとき、標本のd線に対する屈折率は1.36、アッベ数は58とし、標本と対物レンズの先端を満たす水のd線に対する屈折率1.33422、アッベ数は55.89とした。ただし、第２レンズ群と第３レンズ群の位置は上記表に従う。
実施例１〜６は何れも対物レンズからの射出光が平行光束となる無限遠補正型の対物レンズであり、これら単体では結像しない。そこで、例えば以下に示すレンズデータを有し、図２５にレンズ断面図を示す結像レンズと組み合わせて使用される。なお、r1、r2…は物体側から順に示した各レンズ面の曲率半径、d1、d2…は物体側から順に示した各レンズの面間隔、nd1、nd2…は物体側から順に示したｄ線の屈折率、νd1、νd2…は物体側から順に示した各レンズのアッベ数である。
R1 = 68.7541      d1 = 7.7321     nd1 = 1.48749     νd1 = 70.21
R2 = -37.5679     d2 = 3.4742     nd2 = 1.8061      νd2 = 40.95
R3 = -102.848     d3 = 0.6973
R4 = 84.3099      d4 = 6.0238     nd3 = 1.834       νd3 = 37.17
R5 = -50.71       d5 = 3.0298     nd4 = 1.6445      νd4 = 40.82
R6 = 40.6619      d6 = 9.0375
この場合、実施例１〜６対物レンズと図２５の結像レンズとの間の間隔は50ｍｍ〜170ｍｍ間の何れの位置でもよいが、図７から図２４に示された収差図はこの間隔を120ｍｍとした場合のものである。なお、上記間隔が50ｍｍ〜170ｍｍの間で120ｍｍ以外の位置においても、同様の収差状況を示す。
【実施例７】
【０１１４】
図２６は、本発明の実施における鏡枠および鏡胴を含めた形態を示している。図２６に示された対物レンズの鏡枠の構成は、本発明の実施例１に記載のレンズデータに基づいたレンズ構成を参照して作られている。
【０１１５】
図２６に示されるように、本発明の対物レンズは、接合レンズあるいは単体レンズごとに鏡枠１６Ａ，Ｂ，Ｃ・・・によって保持される。そして鏡枠１６Ａ，Ｂ，Ｃ・・・が鏡胴１７の内部に積層されて配置されることによって、各々のレンズが所定の位置に配置される。さらに、鏡胴１６はカバー１８によって保護されている。
【０１１６】
本発明の実施による顕微鏡対物レンズは、パッチクランプ法のように顕微鏡観察時に標本へのアクセスを伴う検鏡法に好適な形状をしている。すなわち、対物レンズの物体側の先端部は先鋭化され、作業空間が確保されている。なお、いわゆるアクセス角という尺度では、本実施例は３４°４３’となっている。
【０１１７】
さらに、本実施例では先端部を先鋭化するだけでなく、先端部を絶縁体のカバーで覆うことによって、実験器具との干渉を防いでいる。パッチクランプ法では標本内の微弱な電流を検出するために電極を使う。それゆえに、顕微鏡の対物レンズを絶縁することは非常に重要となってくる。通常の顕微鏡の鏡枠および鏡胴は真鍮で作られている。本実施例では、最先端の鏡枠１６Ａを絶縁体カバー１９で覆うことにより、顕微鏡と標本および実験器具を絶縁している。
【実施例８】
【０１１８】
図２７は、本発明の実施における鏡枠および鏡胴を含めた形態を示している。図２７に示された対物レンズの鏡枠の構成は、本発明の実施例３に記載のレンズデータに基づいたレンズ構成を参照して作られている。
【０１１９】
図２７に示されるように、本発明の対物レンズは、接合レンズあるいは単体レンズごとに鏡枠１６Ａ，Ｂ，Ｃ・・・によって保持される。そして鏡枠１６Ａ，Ｂ，Ｃ・・・が鏡胴１７の内部に積層されて配置されることによって、各々のレンズが所定の位置に配置される。さらに、鏡胴１６はカバー１８によって保護されている。
【０１２０】
本実施例の顕微鏡対物レンズも物体側の先端部が先鋭化され、絶縁体カバー１９で先端部の鏡枠１６Ａが覆われている。
さらに、実施例３のレンズ構成では、２番目に物体側のレンズ群ｇ２が両凸のレンズである。このことによって、レンズ群ｇ２の縁がレンズ群ｇ１から離れるため、レンズ群ｇ１をよりアクセス角を大きくして保持することができる。その結果、本実施例では単にアクセス角を大きくするだけではなく、絶縁体カバー１９とカバー１８の接続部付近の作業空間も大きく確保することができている。なお、ここでは実施例３の記載における第１レンズ群Ｇ１を、最も物体側のレンズ群ｇ１と２番目に物体側のレンズ群ｇ２とに細分化して説明をした。
以下では本願発明の顕微鏡対物レンズを活用するために好適なレーザー走査型顕微鏡システムの実施の形態を示す。なお、これらのレーザー走査型顕微鏡システムは本願発明の顕微鏡対物レンズに限らず同様な性能を持った顕微鏡対物レンズと共に利用された場合には、本発明の実施と同等の効果を発揮する。
【実施例９】
【０１２１】
図２８は、本願発明の顕微鏡対物レンズを利用した本願発明によるレーザー走査型顕微鏡システムの形態を模式的に示したものである。
不図示のレーザー光源から導入された照明用レーザーはガルバノミラー１によって走査され、瞳投影レンズ２と結像レンズ３によってリレーされ、対物レンズ４に入射される。このとき、レーザーはガルバノミラーの径を満たすようにされ、ガルバノミラー１は入射されたレーザーを９０度の角度で反射させながら走査（偏向）を行う。すなわちレーザーの入射方向と反射面との角度は４５度となる。
【０１２２】
このときガルバノミラーのサイズを６mm×６mmとし、瞳投影レンズの焦点距離を50mm、結像レンズの焦点距離を180mmとすると、ガルバノミラーを射出するビーム径は６×ｓｉｎ45°となり、対物レンズに入射するビーム径は以下のようになる。
ビーム径＝（６×ｓｉｎ45°）×ｆｔｌ／ｆｐｌ＝15.27mm
なお、レーザー偏向手段はガルバノミラーに限らず音響光学素子（ＡＯ）や電気光学素子（ＥＯ）を使っても構わない。これらの場合は射出されるビーム径を用いて計算を行う。
【０１２３】
また、本実施例で利用する対物レンズを実施例１に記載の対物レンズとすると、瞳径は２×ＮＡｘｆ＝15.12となり、瞳径とビーム径はほぼ等しい値となる。つまり、本構成はビーム径を有効に利用できるような瞳径となる構成を取っている。
【０１２４】
非共焦点検出光路は共焦点光路（１、２、３）とは別の光路となっており、本実施例ではダイクロイックミラー５によって分割され、共焦点光路よりも遠方に配置されている。このとき、ダイクロイックミラー５は挿脱可能に配置され、交換が可能な構成となっている。さらに、非共焦点検出光路は目視観察用接眼部６への光路とミラー７によって切り換え可能になっている。
【０１２５】
詳細は後述するが、非共焦点検出光路は第１の瞳投影レンズ８とレーザーカットフィルター９とバリアフィルター１０と第２の瞳投影レンズ１１と検出器１２で主に構成されている。本実施例ではダイクロイックミラー１３を使って２チャンネル検出を行う構成を図示している。なお、検出器１２は微弱な蛍光を検出するために光電子増倍管であることが望ましい。
【０１２６】
第１の瞳投影レンズ８と第２の瞳投影レンズ１１は対物レンズ４の瞳を検出器１２の検出面に投影し、レーザーカットフィルター９は励起光として用いた赤外光が検出されないように排除し、バリアフィルター１０は検出したい波長の光を取捨選択するために用いられる。
【０１２７】
図２８に示される実施の形態では、さらに広視野照明光学系も含まれている。本実施の形態では、結像レンズ３と瞳投影レンズ２の間にダイクロイックミラー１４を配置して、照明導入光学系１５によって照明光を導入している。このダイクロイックミラー１４は挿脱可能に配置され、広視野照明利用時に適切なものを選択する。本構成によれば外部検出系と共焦点光学系、広視野照明光学系は独立で切替可能なため、試料面を刺激しながらの観察が容易にでき好適である。
【実施例１０】
【０１２８】
図２９は、本願発明の顕微鏡対物レンズを利用した本願発明によるレーザー走査型顕微鏡システムの別の形態を模式的に示したものである。実施例９との違いは共焦点検出光路が共焦点光路よりも対物レンズ側に配置された構成にある。
【０１２９】
すなわち、対物レンズ４によって集められた蛍光はダイクロイックミラー５によって反射され非共焦点検出光路へと導かれる。そして実施例５と同様に、非共焦点検出光路は第１の瞳投影レンズ８とレーザーカットフィルター９とバリアフィルター１０と第２の瞳投影レンズ１１と検出器１２で主に構成されている。
【０１３０】
一方共焦点光路は、ミラー７によって目視観察用接眼部６への光路と切り換えされ、レーザーを対物レンズへ入射する。そして共焦点光路は実施例９と同様に、ガルバノミラー１と瞳投影レンズ２と結像レンズ３および照明導入光学系１５とダイクロイックミラー１４で構成されている。
【０１３１】
ここで図３０を使って、実施例７と実施例８に共通して用いられた非共焦点検出光学系の光学的性質について説明する。
図３０において、r1は対物レンズの瞳面、r2は対物レンズの胴付き、r3,r4は第１の瞳投影レンズのレンズ面、r5,r6は第２の瞳投影レンズのレンズ面、r7は検出器１２の検出面を表している。このとき、それぞれのレンズデータは以下の表に示すとおりである。
【０１３２】
s      r        d        nd          vd
1      INF      50       1
2      INF     192.2     1
3       90       6       1.48915     70.23
4     -200     197.8     1
5       35      10       1.51825     64.24
6      -50      20       1
7      INF       0       1
同図から読み取れるように、第１の瞳投影レンズ８と第２の瞳投影レンズ１２の間は収斂光束となっている。本願発明に係わるレーザー走査型顕微鏡では散乱光を可能な限り多く検出するために対物レンズの視野を大きくすると共に、対物レンズで集められた蛍光を効率よく検出器へと導く工夫をしている。標本上で光軸から離れた場所から集められた蛍光は、対物レンズから角度を持って射出される。すなわち、第１の瞳投影レンズ８は径を大きくしたほうが効率よく蛍光を導くことがでる。また、その後の光束を収斂光束とすることによって検出器に対して好適な照射角度で光線を導けると共に、光学系の大きさを小さくまとめることができる。
【０１３３】
しかし一方では、第１の瞳投影レンズ８と第２の瞳投影レンズ１２の間にはレーザーカットフィルターやダイクロイックミラーやバリアフィルターなどのフィルター類が配置される。そのために第１の瞳投影レンズ８と第２の瞳投影レンズ１２の間は平行光束が理想的である。
【０１３４】
この両方を加味した結果、本構成では光線角度は４度となっており、フィルターなどの分光特性は特に影響を受けない収束光線となっている。
また、本実施の形態では検出器の開口数NAeは0.0736と大きくなっており、実質的に蛍光観察範囲を広くしている。
【０１３５】
さらに、本実施例において例えば実施例１に記載の対物レンズを組み合わせた場合、条件式（26’）のγem/γexの値は１．５５となっており、標本上の蛍光検出範囲がレーザー走査範囲よりも大きくなっていることが解る。ここでは一例として実施例１に記載の対物レンズとの組み合わせを挙げたが、その他の実施例に記載の対物レンズも実質的に等しい瞳径を持っているために、条件式（26’）を満たしていることが容易に確かめられる。
【０１３６】
ここで、実施例７と実施例８で利用された瞳投影レンズ２のレンズデータを開示する。以下に示されるレンズデータではガルバノミラー面を第１面として第１０面を１次像位置とした表記をしている。つまり、本実施で利用された瞳投影レンズ２は、ガルバノミラーから順に、メニスカスレンズと凸レンズを組み合わせた２枚接合レンズと、凸レンズと凹レンズを組み合わせた２枚接合レンズと、１次像側に凹面を向けたメニスカスレンズによって構成されている。
【０１３７】
s       r          d         nd          vd
1       INF       55.64       1
2     169.5554     4.6279     1.7859      44.2
3      54.3199     7.5898     1.883       40.76
4     -54.3199     0.8701     1
5      38.8719     8.1452     1.497       81.54
6     -46.855      6.7568     1.78472     25.71
7      22.8518     3.2673     1
8      26.3894     9.2559     1.80518     25.43
9      62.8196    24.2689     1
10      INF
【実施例１１】
【０１３８】
本願発明を充足する対物レンズを実際に開発し、多光子励起観察することによって、その効果を確認した。図３２は、生体の中での対物レンズの解像性能を測定するために、試料中に微小な蛍光ビーズを埋め込み、２フォトン顕微鏡に対物レンズを取り付け、標本表面(Z=0μm)から標本深部(Z=1200μm)まで観察深度を変えて取得した画像である。
【０１３９】
上の列の画像は本発明を満たす対物レンズ(NA=1.05,倍率β=25X)によって得られたもの、下の列の画像は特開２００２−３１７６０号公報に記載のの構成を満たす対物レンズ(NA=0.95,倍率β=20X) によって得られたものである。
【０１４０】
実施例９と同様に本実施例のレーザー偏向手段はガルバノミラーを利用し、これによって規定される最大のビーム径（S×ftl/fpl）は15.27mmである。
上列に対応する対物レンズ(NA=1.05,倍率β=25X)の瞳径2xNAxfは15.12mmであるため、(25)式の値は、0.99 となる。
【０１４１】
一方、下列に対応する対物レンズ(NA=0.95,倍率β=20X)の瞳径2xNAxfは17.1mmであるため、(25)式の値は、1.12 となる。
図３２において、標本の厚みによって発生する球面収差の影響の無い標本表面(Z=0μm)で取得像を比較すると、上列左端で1〜2μmの垂直(Z)方向の解像性能を示しているのに対し、下列左端では、3〜4μm前後と広がっている。つまり、(25)式の上限値を上回ると、ニューロンなどの微細な立体構造体の網目構造が正確に把握できなくなり、さらに微細な1μm前後のスパインの観察が著しく困難になることがわかった。
【０１４２】
標本の厚みによって発生する球面収差の影響は、標本表面(Z=0μm)から、観察深度を下げていった画像を比較すれば理解できる。
上列に対応する対物レンズには球面収差補正機構の一例として、球面収差補正手段が備えられており、各観察深度において球面収差が十分補正されている。下列に対応する対物レンズには球面収差補正機構が備えられていない。
【０１４３】
上の列を見てみると、観察深度が1200μm(Z=1200um)に到達するまで、垂直(z)方向の解像性能は標本表面(Z=0μm)と変わらない。
一方、下の列を見ると深くなるほど劣化しており、1000μm前後では、5〜8umと標本表面の2倍近くに劣化している。ここまで劣化すると、微細な脳構造を把握することが不可能になる。
【０１４４】
さらに、解像性能の劣化は、取得画像の明るさにも大きく影響する。例えば、２光子励起は励起光の強度の2乗に比例した確率で励起現象が発生するため、集光点の励起密度が落ちれば、その2乗に比例して励起確率が落ちるためである。
【０１４５】
このように、球面収差補正手段によって標本の表面から深部観察まで良好な解像性能を確保することは、高解像で明るい多光子励起蛍光像取得にとって極めて重要である。
【図面の簡単な説明】
【０１４６】
【図１】本発明実施の顕微鏡対物レンズの実施例１のレンズ断面図である。
【図２】本発明実施の顕微鏡対物レンズの実施例２のレンズ断面図である。
【図３】本発明実施の顕微鏡対物レンズの実施例３のレンズ断面図である。
【図４】本発明実施の顕微鏡対物レンズの実施例４のレンズ断面図である。
【図５】本発明実施の顕微鏡対物レンズの実施例５のレンズ断面図である。
【図６】本発明実施の顕微鏡対物レンズの実施例６のレンズ断面図である。
【図７】本発明の実施例１の顕微鏡対物レンズにおける標本厚0ｍｍ時の収差図である。
【図８】本発明の実施例１の顕微鏡対物レンズにおける標本厚0.3ｍｍ時の収差図である。
【図９】本発明の実施例１の顕微鏡対物レンズにおける標本厚1.2ｍｍ時の収差図である。
【図１０】本発明の実施例２の顕微鏡対物レンズにおける標本厚0ｍｍ時の収差図である。
【図１１】本発明の実施例２の顕微鏡対物レンズにおける標本厚0.3ｍｍ時の収差図である。
【図１２】本発明の実施例２の顕微鏡対物レンズにおける標本厚1.2ｍｍ時の収差図である。
【図１３】本発明の実施例３の顕微鏡対物レンズにおける標本厚0ｍｍ時の収差図である。
【図１４】本発明の実施例３の顕微鏡対物レンズにおける標本厚0.3ｍｍ時の収差図である。
【図１５】本発明の実施例３の顕微鏡対物レンズにおける標本厚1.2ｍｍ時の収差図である。
【図１６】本発明の実施例４の顕微鏡対物レンズにおける標本厚0ｍｍ時の収差図である。
【図１７】本発明の実施例４の顕微鏡対物レンズにおける標本厚0.3ｍｍ時の収差図である。
【図１８】本発明の実施例４の顕微鏡対物レンズにおける標本厚1.2ｍｍ時の収差図である。
【図１９】本発明の実施例５の顕微鏡対物レンズにおける標本厚0ｍｍ時の収差図である。
【図２０】本発明の実施例５の顕微鏡対物レンズにおける標本厚0.3ｍｍ時の収差図である。
【図２１】本発明の実施例５の顕微鏡対物レンズにおける標本厚1.2ｍｍ時の収差図である。
【図２２】本発明の実施例６の顕微鏡対物レンズにおける標本厚0ｍｍ時の収差図である。
【図２３】本発明の実施例６の顕微鏡対物レンズにおける標本厚0.3ｍｍ時の収差図である。
【図２４】本発明の実施例６の顕微鏡対物レンズにおける標本厚1.2ｍｍ時の収差図である。
【図２５】各実施例の顕微鏡対物レンズと組み合わせて用いる結像レンズの断面図である。
【図２６】本発明の実施例１の顕微鏡対物レンズにおける鏡枠の構成例である。
【図２７】本発明の実施例３の顕微鏡対物レンズにおける鏡枠の構成例である。
【図２８】本願発明の顕微鏡対物レンズを利用したレーザー走査型顕微鏡システムの模式図である。
【図２９】本願発明の顕微鏡対物レンズを利用したレーザー走査型顕微鏡システムの模式図である。
【図３０】本願発明の実施例に利用する非共焦点検出光学系の瞳追跡光線図である。
【図３１】本願発明を利用したレーザー走査型顕微鏡システムにおける検出光学系の検出効率を示す模式図である。
【図３２】本願発明を充足する対物レンズ、及び充足しない対物レンズを用いた多光子励起観察画像である。
【符号の説明】
【０１４７】
G1・・・第1レンズ群
G2・・・第2レンズ群
G3・・・第3レンズ群
G4・・・第4レンズ群
G5・・・第5レンズ群
１・・・ガルバノミラー
２・・・瞳投影レンズ
３・・・結像レンズ
４・・・対物レンズ
５・・・ダイクロイックミラー
６・・・目視観察用接眼部
７・・・ミラー
８・・・第１の瞳投影レンズ
９・・・レーザーカットフィルター
１０・・・バリアフィルター
１１・・・第２の瞳投影レンズ
１２・・・検出器
１３・・・ダイクロイックミラー
１４・・・ダイクロイックミラー
１５・・・照明導入光学系
１６・・・鏡枠
１７・・・鏡胴
１８・・・カバー
１９・・・絶縁体カバー
ｇ１・・・最も物体側のレンズ群
ｇ２・・・２番目に物体側のレンズ群
【図１】
0005536995.tif 000002
【図２】
0005536995.tif 000003
【図３】
0005536995.tif 000004
【図４】
0005536995.tif 000005
【図５】
0005536995.tif 000006
【図６】
0005536995.tif 000007
【図２６】
0005536995.tif 000008
【図２７】
0005536995.tif 000009
【図２８】
0005536995.tif 000010
【図２９】
0005536995.tif 000011
【図３０】
0005536995.tif 000012
【図７】
0005536995.tif 000013
【図８】
0005536995.tif 000014
【図９】
0005536995.tif 000015
【図１０】
0005536995.tif 000016
【図１１】
0005536995.tif 000017
【図１２】
0005536995.tif 000018
【図１３】
0005536995.tif 000019
【図１４】
0005536995.tif 000020
【図１５】
0005536995.tif 000021
【図１６】
0005536995.tif 000022
【図１７】
0005536995.tif 000023
【図１８】
0005536995.tif 000024
【図１９】
0005536995.tif 000025
【図２０】
0005536995.tif 000026
【図２１】
0005536995.tif 000027
【図２２】
0005536995.tif 000028
【図２３】
0005536995.tif 000029
【図２４】
0005536995.tif 000030
【図２５】
0005536995.tif 000031
【図３１】
0005536995.tif 000032
【図３２】
0005536995.tif 000033